(57)【要約】【課題】  手で支える必要がなく、より正確に測量が行える測量器用支持装置を提供する。【解決手段】  測量器用支持装置１は、Ｈ形鋼２のフランジ部２ａに対して着脱自在にクランプされるクランプ機構３を一側面に有する取付基板４と、取付基板４の他側面に、水平軸回りに回動調整自在な姿勢調整機構１５を介して取付支持されたＬ字形支持板５と、レーザ水準器２１が着脱自在に取付可能とされると共に、Ｌ字形支持板５の上面に高さ調整機構６を介して取付支持された可動支持台７とを備える。【選択図】    図１
2005337888.tif 000002
【特許請求の範囲】
【請求項１】
建築構造材に対して着脱自在にクランプされるクランプ機構を一側面に有する取付基板と、
前記取付基板の他側面に、横軸回りに回動調整自在な姿勢調整機構を介して取付支持された支持装置本体部と、
測量器が着脱自在に取付可能とされると共に、前記支持装置本体部の上面に高さ調整機構を介して取付支持された可動支持台と、
を備えてなることを特徴とする測量器用支持装置。
【請求項２】
請求項１に記載の測量器用支持装置において、
前記クランプ機構は、前記建築構造材の一部が挿入される挿入溝部を有するＵ字形クランプ体と、該Ｕ字形クランプ体の前記挿入溝部を挟んで対向する対のクランプ腕部のいずれか一方に、外面から螺挿されて挿入溝部内にボルト軸部が進退自在とされた締付けノブとを備えてなることを特徴とする測量器用支持装置。
【請求項３】
請求項２に記載の測量器用支持装置において、
前記締付けノブが備えられたクランプ腕部と対向する他方のクランプ腕部の内面が凹凸状に形成されていることを特徴とする測量器用支持装置。
【請求項４】
請求項２または請求項３に記載の測量器用支持装置において、
前記挿入溝部の溝幅が異なる複数種のクランプ機構が備えられ、それらのクランプ機構の中から選択されたクランプ機構が前記取付基板に着脱自在に固定されることを特徴とする測量器用支持装置。
【請求項５】
請求項１ないし請求項４のいずれかに記載の測量器用支持装置において、
前記支持装置本体部は、前記取付基板に取り付けられる取付板部と、該取付板部の一端部より直交状に延設されて前記高さ調整機構が取り付けられる支持板部とを有するＬ字形支持板を備え、
前記姿勢調整機構は、前記取付基板と、該取付基板の他側面に重合状に配置された前記取付板部とを挿通するボルト軸部を有する姿勢調整用ノブと、取付基板より突出する前記ボルト軸部に螺合されるナット体とからなることを特徴とする測量器用支持装置。
【請求項６】
請求項１ないし請求項５のいずれかに記載の測量器用支持装置において、
前記高さ調整機構は、前記支持装置本体部の上面に固定された固定基台と、該固定基台の周方向に離隔した３個所位置でそれぞれ前記可動支持台との相互間にわたって配設されると共にそれぞれ長さ調整自在とされた３脚の支持脚体とからなることを特徴とする測量器用支持装置。
【発明の詳細な説明】
【技術分野】
【０００１】
本発明は、種々の建設現場等で使用される測量器を支持するための測量器用支持装置に関するものである。
【背景技術】
【０００２】
一般的に建設現場では、柱・梁・デッキ等の建築構造物における水準や墨出し等の測量を行う場合に、レーザ水準器等の各種測量器が使用されている。そして、これらの測量器は、通常、三脚台の上に測量器をセットして使用される（例えば、特許文献１、２参照。）。
【０００３】
また、三脚台は安定した設置状態が得られるように、三脚をある程度広げた状態で床等に設置し、所望の測量を行っていた。
【０００４】
【特許文献１】特開平７−２４３２６３号公報
【特許文献２】特開平１１−１９４０３０号公報
【発明の開示】
【発明が解決しようとする課題】
【０００５】
しかしながら、上記のような三脚台を安定して設置するためには、三脚をある程度広げるための設置スペース必要があり、建築中の鉄骨構造物の高所部や屋内の狭い空間では、そのような設置スペースを充分に確保することが困難な場合がある。
【０００６】
このような場合には、三脚をすぼめて設置するため、不安定な設置状態で使用しなければならないため、手で支えながらの不安定な状態で測量する必要がある等、測量作業者が無理な体勢で測量する事態を招いたりして、測量誤差を生じるおそれがあった。
【０００７】
そこで、本発明はこれらの問題点に鑑み、手で支える必要がなく、より正確に測量が行える測量器用支持装置を提供することを目的とする。
【課題を解決するための手段】
【０００８】
上記課題を解決するための技術的手段は、建築構造材に対して着脱自在にクランプされるクランプ機構を一側面に有する取付基板と、前記取付基板の他側面に、横軸回りに回動調整自在な姿勢調整機構を介して取付支持された支持装置本体部と、測量器が着脱自在に取付可能とされると共に、前記支持装置本体部の上面に高さ調整機構を介して取付支持された可動支持台と、を備えてなる点にある。
【０００９】
また、前記クランプ機構は、前記建築構造材の一部が挿入される挿入溝部を有するＵ字形クランプ体と、該Ｕ字形クランプ体の前記挿入溝部を挟んで対向する対のクランプ腕部のいずれか一方に、外面から螺挿されて挿入溝部内にボルト軸部が進退自在とされた締付けノブとを備えてなる構造としてもよい。
【００１０】
さらに、前記締付けノブが備えられたクランプ腕部と対向する他方のクランプ腕部の内面が凹凸状に形成されている構造としてもよい。
【００１１】
また、前記挿入溝部の溝幅が異なる複数種のクランプ機構が備えられ、それらのクランプ機構の中から選択されたクランプ機構が前記取付基板に着脱自在に固定される構造としてもよい。
【００１２】
さらに、前記支持装置本体部は、前記取付基板に取り付けられる取付板部と、該取付板部の一端部より直交状に延設されて前記高さ調整機構が取り付けられる支持板部とを有するＬ字形支持板を備え、前記姿勢調整機構は、前記取付基板と、該取付基板の他側面に重合状に配置された前記取付板部とを挿通するボルト軸部を有する姿勢調整用ノブと、取付基板より突出する前記ボルト軸部に螺合されるナット体とからなる構造としてもよい。
【００１３】
また、前記高さ調整機構は、前記支持装置本体部の上面に固定された固定基台と、該固定基台の周方向に離隔した３個所位置でそれぞれ前記可動支持台との相互間にわたって配設されると共にそれぞれ長さ調整自在とされた３脚の支持脚体とからなる構造としてもよい。
【発明の効果】
【００１４】
以上のように、本発明の測量器用支持装置によれば、建築構造材に対して着脱自在にクランプされるクランプ機構を一側面に有する取付基板と、取付基板の他側面に、横軸回りに回動調整自在な姿勢調整機構を介して取付支持された支持装置本体部と、測量器が着脱自在に取付可能とされると共に、支持装置本体部の上面に高さ調整機構を介して取付支持された可動支持台と、を備えてなる構造とされているため、クランプ機構を介して建築構造材にクランプ固定し、姿勢調整機構により支持装置本体部を横軸心回りに回動調整し、可動支持台に取り付けられた測量器の高さを高さ調整機構により調整して所望の測量を行えばよく、測量器用支持装置をクランプ機構を介して鉛直柱に限らず斜材等の建築構造材であっても所望個所に容易に取り付けることができ、最適な測量場所を選択できると共に、測量中は測量器用支持装置を手で支える必要がなく、安定した状態でより正確に測量が行える利点がある。
【００１５】
また、クランプ機構は、建築構造材の一部が挿入される挿入溝部を有するＵ字形クランプ体と、該Ｕ字形クランプ体の挿入溝部を挟んで対向する対のクランプ腕部のいずれか一方に、外面から螺挿されて挿入溝部内にボルト軸部が進退自在とされた締付けノブとを備えてなる構造とすれば、Ｕ字形クランプ体の挿入溝部内に建築構造材を挿入状に嵌め込み、締付けノブを締め付ければ、一方のクランプ腕部に螺挿された締付けノブのボルト軸部と他方のクランプ腕部とで建築構造材を挟持状にクランプすることができ、簡単な構造のクランプ機構を提供できる。
【００１６】
さらに、締付けノブが備えられたクランプ腕部と対向する他方のクランプ腕部の内面が凹凸状に形成されている構造とすれば、建築構造材にクランプした状態での位置ずれが有効に防止でき、安定したクランプ状態が得られ、より正確な測量が行える。
【００１７】
また、挿入溝部の溝幅が異なる複数種のクランプ機構が備えられ、それらのクランプ機構の中から選択されたクランプ機構が取付基板に着脱自在に固定される構造とすれば、取付対象となる建築構造材の大きさや形状に応じてクランプ機構を交換することにより、多種多様の建築構造材に装着でき、汎用性の向上が図れる。
【００１８】
さらに、支持装置本体部は、取付基板に取り付けられる取付板部と、該取付板部の一端部より直交状に延設されて高さ調整機構が取り付けられる支持板部とを有するＬ字形支持板を備え、姿勢調整機構は、取付基板と、取付基板の他側面に重合状に配置された取付板部とを挿通するボルト軸部を有する姿勢調整用ノブと、取付基板より突出するボルト軸部に螺合されるナット体とからなる構造とすれば、姿勢調整用ノブを緩めて、支持装置本体部をボルト軸部の軸心である横軸回りに回動調整した後、再度、姿勢調整用ノブを締め付ければ、支持装置本体部を所望の姿勢に保持でき、簡単な構造の姿勢調整機構が提供できる。
【００１９】
また、高さ調整機構は、支持装置本体部の上面に固定された固定基台と、該固定基台の周方向に離隔した３個所位置でそれぞれ可動支持台との相互間にわたって配設されると共にそれぞれ長さ調整自在とされた３脚の支持脚体とからなる構造とすれば、３点支持構造とされた各支持脚体の長さ調整によって、可動支持台に取り付けられた測量器の高さや傾きの微調整が行え、測量器の照準を正確に合わせることができる。
【発明を実施するための最良の形態】
【００２０】
以下、本発明の実施形態を図面に基づいて説明すると、図１および図２に示される如く、測量器用支持装置１は、建築構造材の一例としてのＨ形鋼２に対して着脱自在にクランプされるクランプ機構３が装着された取付基板４と、取付基板４に取付支持された支持装置本体部としてのＬ字形支持板５と、Ｌ字形支持板５の上面に高さ調整機構６を介して取付支持された可動支持台７とを備える。
【００２１】
前記クランプ機構３は、図３や図４にも示されるように、Ｈ形鋼２のフランジ部２ａの一部が相対的に挿脱自在に挿入状とされる挿入溝部８ａを有するＵ字形クランプ体８を備え、Ｕ字形クランプ体８の挿入溝部８ａを挟んで対向する対のクランプ腕部８ｂ、８ｃのうち、一方のクランプ腕部８ｂには、締付けノブ９のボルト軸部９ａがその外面から挿入溝部８ａ内に進退自在に螺挿された構造とされている。
【００２２】
また、締付けノブ９が螺挿されたクランプ腕部８ｂの長さよりも、対向する他方のクランプ腕部８ｃの長さの方が少しの長さＬだけ長く形成されると共に、クランプ腕部８ｂと対向するクランプ腕部８ｃにおける内面には、鋸刃状の波形に形成された凹凸部８ｄが設けられた構造とされている。
【００２３】
なお、本実施形態では、Ｕ字形クランプ体８は適宜厚みを有するステンレス鋼等の薄板金属材をプレス成形等により折り曲げ成形した構造を示しているが、適宜肉厚を有する厚板金属材をＵ字形に折り曲げ成形する構造であってもよい。
【００２４】
前記取付基板４は細長矩形のステンレス鋼等の金属板材よりなり、その両端部一側面にＵ字形クランプ体８の折り曲げ部分の頂部がそれぞれ添設されると共に、他側面から挿通された固定ボルト１１を前記頂部に形成された雌ネジ孔に螺合締結することによって、着脱自在に固定された構造とされている。
【００２５】
また、取付基板４は、図１および図２に示されるように、クランプ機構３が固定される上下の両端部がそれぞれ前記一側面方向に屈曲配置された構造とされ、中央部と両端部とは適宜距離の段差を有した構造とされている。そして、この段差の幅内に固定ボルト１１が収まる構造とされている。
【００２６】
前記Ｌ字形支持板５は、取付基板４に取り付けられる取付板部５ａと、取付板部５ａの上端部より直交する側方に延設された支持板部５ｂとからなり、細長矩形のステンレス鋼等の金属板材を略Ｌ字形に屈曲形成した構造とされている。そして、取付板部５ａと支持板部５ｂとで構成される入隅コーナー部には、補強リブ１２が溶接等により装着された構造とされている。
【００２７】
そして、取付基板４の中央部他側面にＬ字形支持板５の取付板部５ａ下部が重合状に配置され、姿勢調整用ノブ１３のボルト軸部１３ａを取付板部５ａおよび取付基板４に挿通させると共に、取付基板４側に突出するボルト軸部１３ａにナット体１４を螺合締結することにより、取付基板４にＬ字形支持板５が取付支持される構造とされている。
【００２８】
また、ボルト軸部１３ａとナット体１４との締結状態を緩めれば、Ｌ字形支持板５はボルト軸部１３ａの軸心Ｐ回りに回動調整自在となり、再度、姿勢調整用ノブ１３によって締結すれば、調整位置で固定でき、ここに、姿勢調整用ノブ１３やナット体１４によりＬ字形支持板５の姿勢を調整する姿勢調整機構１５が構成される。
【００２９】
なお、ナット体１４を取付基板４に溶接等により溶着しておけば、姿勢調整用ノブ１３の締結・弛緩操作時にナット体１４の共回りが防止でき、姿勢調整時の作業性向上が図れる。
【００３０】
前記可動支持台７は適宜肉厚を有する円盤状の板材より構成されいる。また、Ｌ字形支持板５の支持板部５ｂの延設端部上面には、可動支持台７と対向して同じ大きさの円盤状の板材よりなる固定基台１７が固定ビス１８等により固定されている。
【００３１】
そして、固定基台１７と可動支持台７との対向面間には、周方向に等間隔離隔した３個所位置でそれぞれ支持脚体１９が配置され、ここに、可動支持台７は３脚の支持脚体１９により３点支持された構造とされている。
【００３２】
また、各支持脚体１９は固定基台１７と可動支持台７との相互間間隔を調整可能とすべく、長さ調整自在に構成されている。例えば、各支持脚体１９は、中央部の外方に向けて張出形成された操作つまみ部１９ａと、固定基台１７上面に突設された右ネジ軸１９ｂと、可動支持台７下面に突設された左ネジ軸１９ｃとを備え、右ネジ軸１９ｂの上部と左ネジ軸１９ｃの下部がそれぞれ同心状として操作つまみ部１９ａに螺合されており、操作つまみ部１９ａの正逆回動操作により、各ネジ軸１９ｂ、１９ｃが操作つまみ部１９ａより出退操作されて、支持脚体１９の長さが調整されるいわゆるターンバックル構造とされている。
【００３３】
なお、固定基台１７上面に左ネジ軸１９ｃを突設し、可動支持台７下面に右ネジ軸１９ｂを突設する構造であってもよい。また、操作つまみ部１９ａの上下にそれぞれ右ネジ軸および左ネジ軸を一体的に備え、上下の各ネジ軸を固定基台１７および可動支持台７に進退自在に螺合させ、操作つまみ部１９ａの回動操作により各ネジ軸が固定基台１７および可動支持台７より出退操作されて長さ調整される構造等であってもよく、従来周知の長さ調整の構造を適宜採用すればよい。
【００３４】
また、可動支持台７の中心には、測量器の一例としての可視光線Ｒ（例えば赤色レーザ光）を出射するレーザ水準器２１の下面に突設された取付ネジ軸２１ａが進退自在に螺合される雌ネジ孔７ａが形成されている。
【００３５】
本実施形態は以上のように構成されており、測量器用支持装置１はコンパクトで携帯可能であるため、狭い場所や高所でも容易に持ち運びでき、例えば、レーザ水準器２１が装着された測量器用支持装置１を、建築中の建築構造物における柱を構成するＨ形鋼２のフランジ部２ａに取り付ける場合には、図１および図２に示されるように、上下のクランプ機構３におけるＵ字形クランプ体８のそれぞれの挿入溝部８ａ内に、フランジ部２ａを相対的に嵌め込み、この状態で締付けノブ９を締め付けていけば、図３および図４に示されるように、クランプ腕部８ｂに装着された締付けノブ９のボルト軸部９ａとクランプ腕部８ｃとで、フランジ部２ａを挟持したクランプ状態が得られ、ここに、Ｈ形鋼２のフランジ部２ａに対して測量器用支持装置１が取り付けられた状態が得られる。
【００３６】
次に、姿勢調整用ノブ１３を緩めて、Ｌ字形支持板５をボルト軸部１３ａの軸心Ｐ、即ち横軸としての水平軸回りに回動調整し、レーザ水準器２１のおおよその照準を定めた後、姿勢調整用ノブ１３を締め付けて固定する。
【００３７】
最終的には、高さ調整機構６における各支持脚体１９の操作つまみ部１９ａを回動操作して微調整を行い、照準を正確に合わせる。なお、レーザ水準器２１によって出射される可視光線Ｒの向きの調整を行う場合には、取付ネジ軸２１ａの雌ネジ孔７ａに対するねじ込み度合いで縦軸Ｑ回りの向きを調整すればよい。
【００３８】
そして、所望の測量作業を行えばよい。
【００３９】
以上のように、作業者は、三脚を置けないような狭い不安定な場所や高所であっても、コンパクトに構成された測量器用支持装置１を携帯し、クランプ機構３によって所望個所に容易に取り付けることができ、使い勝手に優れる。また、鉛直の柱に限らず、クランプ可能であれば、梁、斜材（ブレース）、管材等の建築構造材であってもよく、同様に取り付けることができると共に、姿勢調整機構１５による水平軸回りの回動調整により所望の姿勢に容易に調整できるため、取付場所が制限されず、汎用性の向上が図れ、最適な測量場所を選択できる利点がある。
【００４０】
即ち、複雑な鉄骨組みの建築構造物にあっては、レーザ光の照射を遮る構造物を避けるような位置を選択して測量器用支持装置１を取り付け、レーザ水準器２１の配置を定めたり、作業者が測量作業がし易い姿勢をとれるような位置を選択して測量器用支持装置１を取り付けることができる。
【００４１】
さらに、Ｈ形鋼２等の建築構造材に測量器用支持装置１を取付固定できるため、測量中は測量器用支持装置１を手で支える必要がなく、安定した状態で測量が行えるため、より正確に測量が行える利点がある。
【００４２】
また、クランプ機構３は、Ｕ字形クランプ体８と、そのクランプ腕部８ｂに螺挿された締付けノブ９とからなる簡単な構造であり、安価に提供できる。
【００４３】
さらに、締付けノブ９が備えられたクランプ腕部８ｂと対向するクランプ腕部８ｃの内面に鋸刃状の凹凸部８ｄが形成されているため、クランプ機構３によるクランプ状態において、Ｈ形鋼２との滑りが防止できて測量器用支持装置１の取付位置の位置ずれが有効に防止でき、ここに、安定した確実な締付け固定状態が得られるため、より正確な測量が行える利点がある。この際、クランプ腕部８ｃをより長く形成しているため、締付け固定状態がより一層安定するという利点がある。
【００４４】
また、姿勢調整用ノブ１３を緩めて、Ｌ字形支持板５をボルト軸部１３ａの軸心Ｐである水平軸回りに回動調整した後、再度、姿勢調整用ノブ１３を締め付ければ、Ｌ字形支持板５、即ちレーザ水準器２１を所望の姿勢に調整して保持でき、簡単な構造の姿勢調整機構１５が提供できると共に、鉛直の柱に取り付けた場合と同様、斜材に取り付けた場合であっても同様に水平軸回りに回動調整すれば、レーザ水準器２１の照準を同一の所望方向に合わせることができる。
【００４５】
さらに、レーザ水準器２１が取り付けられた可動支持台７は、長さ調整自在とされた各支持脚体１９により周方向に離隔した３個所位置で３点支持された構造とされているため、各支持脚体１９の長さ調整によって、可動支持台７に取り付けられたレーザ水準器２１の高さや傾きの微調整が行え、レーザ水準器２１の照準を正確に合わせることができる。
【００４６】
また、挿入溝部８ａの溝幅や、各クランプ腕部８ｂ・８ｃの幅等が異なる大小各種寸法の複数種のＵ字形クランプ体８や締付けノブ９からなるクランプ機構３を複数種用意しておき、それらのクランプ機構３の中から選択されたクランプ機構３が取付基板４に固定ボルト１１により着脱自在に固定される構造としておけば、取付対象となる建築構造材の大きさや形状に応じてクランプ機構３を交換することにより、多種多様の建築構造材に装着でき、汎用性の向上が図れる利点がある。
【００４７】
なお、上記実施形態では、Ｈ形鋼２に測量器用支持装置１を取り付けた構造を示しているが、Ｈ形鋼２に限らず、その他の形状の形鋼、Ｃ形チャンネル、管材等の建築構造物であってもよい。
【００４８】
また、Ｈ形鋼２のフランジ部２ａに測量器用支持装置１を取り付ける構造を示しているが、建築構造材が小さい場合には、全体をクランプしてもよい。
【００４９】
さらに、測量器としてレーザ水準器２１を使用した構造を示しているが、その他の測量器であってもよく、実施形態に何ら限定されない。
【図面の簡単な説明】
【００５０】
【図１】本発明の実施形態を示す斜視図である。
【図２】同側面図である。
【図３】図２におけるIII−III線断面矢視図である。
【図４】図２におけるIV−IV線矢視図である。
【符号の説明】
【００５１】
１  測量器用支持装置
２  Ｈ形鋼
２ａ  フランジ部
３  クランプ機構
４  取付基板
５  Ｌ字形支持板
５ａ  取付板部
５ｂ  支持板部
６  高さ調整機構
７  可動支持台
８  Ｕ字形クランプ体
８ａ  挿入溝部
８ｂ  クランプ腕部
８ｃ  クランプ腕部
８ｄ  凹凸部
９  締付けノブ
９ａ  ボルト軸部
１１  固定ボルト
１３  姿勢調整用ノブ
１４  ナット体
１５  姿勢調整機構
１７  固定基台
１９  支持脚体
２１  レーザ水準器
【図１】
2005337888.tif 000003
【図２】
2005337888.tif 000004
【図３】
2005337888.tif 000005
【図４】
2005337888.tif 000006